(57)【要約】  【課題】  紫外線照射装置などの移動体への電力供給のための配線の移動空間を不要にするとともに、配線の断線の恐れを無くすようにすること。  【解決手段】  紫外線照射装置３００と、同紫外線照射装置３００に駆動力と電力を伝達する導電性を備えた駆動ベルト２４０と、同駆動ベルト２５０を駆動するための導電性を備えた回転部材２５０と、同回転部材２５０に電力を供給する電極２６０とを設けるようにした。電極２６０および回転部材２５０から駆動ベルト２４０を介して、紫外線照射装置３００に直接電力を供給でき、紫外線照射装置３００の移動軌跡が曲線的である場合でも、駆動ベルト２４０によって容易に駆動機構を構成できるようにした。  【選択図】  図３
2007162976.tif 000002
【特許請求の範囲】
【請求項１】
移動体と、同移動体に駆動力または／および電力を伝達する伝達手段と、同伝達手段を介して前記移動体に電力を供給する電力供給部とを設けたことを特徴とする駆動装置。
【請求項２】
前記伝達手段は導電性を備えた駆動ベルトからなり、前記電力供給部は同駆動ベルトを駆動するための導電性を備えた回転部材と、同回転部材に電力を供給する電極とからなることを特徴とする請求項１記載の駆動装置。
【請求項３】
前記回転部材は前記駆動ベルトに電力を伝達する電力伝達部と、回転駆動力を伝達する駆動力伝達部とを備え、前記駆動ベルトは前記回転部材から電力供給を受ける電力受部と、回転駆動力を受ける駆動力受部とを備えることを特徴とする請求項２記載の駆動装置。
【請求項４】
前記移動体と前記駆動ベルトは、それぞれを電気的に接続するための接続部を備えることを特徴とする請求項２または請求項３記載の駆動装置。
【請求項５】
前記移動体に、同移動体を駆動する駆動部を備えることを特徴とする請求項１乃至請求項４のいずれかに記載の駆動装置。
【請求項６】
請求項１乃至請求項５のいずれかに記載の駆動装置を備えることを特徴とする空気調和機。
【請求項７】
前記移動体は紫外線照射装置からなり、フィルタまたは熱交換器に沿って移動することを特徴とする請求項６記載の空気調和機。
【請求項８】
前記移動体は清掃手段とともに紫外線照射手段を搭載する清掃装置からなり、フィルタまたは熱交換器に沿って移動することを特徴とする請求項６記載の空気調和機。
【発明の詳細な説明】
【技術分野】
【０００１】
本発明は移動体を駆動させる駆動装置およびこの駆動装置を備えた空気調和機に関するものであり、詳細には、移動体への電力供給のための配線の移動空間を不要にするとともに、配線の断線の恐れを無くすようにした電力供給機能を設けた駆動装置に関する。
【背景技術】
【０００２】
従来の駆動装置は、紫外線照射装置が、熱交換器に対向するガイド上を、駆動モータなどの駆動によって熱交換器に沿って移動するものとなっている。（例えば、特許文献１参照。）。
【０００３】
具体的には、図８（ａ）および図８（ｂ）に示すように、空調用熱交換器１０の全域に、紫外線照射装置２０の殺菌ランプから紫外線を放射し、空調用熱交換器１０にカビや菌の繁殖を防ぐために、空調用熱交換器１０に対向した蛇腹状の移動ガイド１００上を、空調用熱交換器１０に沿って紫外線照射装置２０を移動させるようになっている。
【０００４】
紫外線照射装置２０は、図示を省略した駆動モータなどの駆動機構によって移動され、紫外線を放射するための電力が供給されている。このため、紫外線照射装置２０を駆動する駆動モータや紫外線照射装置２０の殺菌ランプへの電力供給のための配線が接続されている。
【０００５】
【特許文献１】実開平４−０６４０１４号公報（第３頁〜第４頁、第３図）
【発明の開示】
【発明が解決しようとする課題】
【０００６】
しかしながら、特許文献１による駆動装置によれば、紫外線照射装置２０が移動ガイド１００上を移動する機構となっているため、紫外線照射装置２０が移動することを考慮して、駆動モータや殺菌ランプへの電力供給のために敷かれた配線の移動空間を設ける必要性があるという問題点があった。
【０００７】
また、紫外線照射装置２０の移動とともに、紫外線照射装置２０の殺菌ランプへの電力供給のために敷かれた配線自体も移動するようになっているため、配線にストレスがかかって断線する恐れがあるという問題点があった。
【０００８】
本発明は上記問題点に鑑み、紫外線照射装置などの移動体への電力供給のための配線の移動空間を不要にするとともに、配線の断線の恐れを無くすようにした電力供給機能を設けた駆動装置およびこの駆動装置を備えた空気調和機を提供することを目的とする。
【課題を解決するための手段】
【０００９】
本発明は上記課題を解決するため、請求項１記載の発明は、移動体と、同移動体に駆動力または／および電力を伝達する伝達手段と、同伝達手段を介して前記移動体に電力を供給する電力供給部とを設けたことを特徴とする構成となっている。
【００１０】
請求項２記載の発明は、請求項１記載の発明において、前記伝達手段は導電性を備えた駆動ベルトからなり、前記電力供給部は同駆動ベルトを駆動するための導電性を備えた回転部材と、同回転部材に電力を供給する電極とからなることを特徴とする構成となっている。
【００１１】
請求項３記載の発明は、請求項２記載の発明において、前記回転部材は前記駆動ベルトに電力を伝達する電力伝達部と、回転駆動力を伝達する駆動力伝達部とを備え、前記駆動ベルトは前記回転部材から電力供給を受ける電力受部と、回転駆動力を受ける駆動力受部とを備えることを特徴とする構成となっている。
【００１２】
請求項４記載の発明は、請求項２または請求項３記載の発明において、前記移動体と前記駆動ベルトは、それぞれを電気的に接続するための接続部を備えることを特徴とする構成となっている。
【００１３】
請求項５記載の発明は、前記移動体に、同移動体を駆動する駆動部を備えることを特徴とする請求項１乃至請求項４のいずれかに記載の駆動装置。
【００１４】
請求項６記載の発明は、請求項１乃至請求項５のいずれかに記載の発明において、駆動装置を備えた空気調和機の構成となっている。
【００１５】
請求項７記載の発明は、請求項６記載の発明において、前記移動体は紫外線照射装置からなり、フィルタまたは熱交換器に沿って移動することを特徴とする構成となっている。
【００１６】
請求項８記載の発明は、請求項６記載の発明において、前記移動体は清掃手段とともに紫外線照射手段を搭載する清掃装置からなり、フィルタまたは熱交換器に沿って移動することを特徴とする構成となっている。
【発明の効果】
【００１７】
請求項１記載の本発明によれば、移動体に駆動力または／および電力を伝達する伝達手段を介して移動体に電力を供給する電力供給部を設けることにしたので、移動体を移動させながら、電力供給部から伝達手段を介して移動体に直接電力を供給することができ、移動体への電力供給のための配線の移動空間を不要にするとともに、配線の断線の恐れを無くすことができる。
【００１８】
請求項２記載の本発明によれば、伝達手段は導電性を備えた駆動ベルトからなり、電力供給部は駆動ベルトを駆動するための導電性を備えた回転部材と、回転部材に電力を供給する電極とからなることにしたので、移動体の移動軌跡が曲線的である場合でも、駆動ベルトによって容易に駆動機構を構成することができる。
【００１９】
請求項３記載の本発明によれば、回転部材は駆動ベルトに電力を伝達する電力伝達部と、回転駆動力を伝達する駆動力伝達部とを備え、前記駆動ベルトは前記回転部材から電力供給を受ける電力受部と、回転駆動力を受ける駆動力受部とを備えることにしたので、回転部材による回転駆動力を駆動ベルトに滑らかに伝達することができ、回転部材から駆動ベルトへの電力供給を効果的に行うことができる。
【００２０】
更に、請求項３記載の本発明によれば、回転部材全体を電力供給部、駆動ベルト全体を電力受部として、回転駆動力を得るようにした場合、即ち、例えば、電力供給部と電力受部をそれぞれ金属製とし、互いに接触させて回転駆動力を得るようにした場合に比べて、磨耗し難い構成とすることができる。
【００２１】
請求項４記載の本発明によれば、移動体と駆動ベルトは、それぞれを電気的に接続するための接続部を備えることにしたので、移動体を駆動ベルトから取外し、容易に交換や点検を行うことができる。
【００２２】
請求項５記載の発明は、前記移動体に、同移動体を駆動する駆動部を備えることにしたので、伝達手段としての駆動ベルトを電力を伝達する機構のみとし、かつ、電力供給部としての回転部材を使用しなくてもよい駆動装置を構成することができる。
【００２３】
請求項６記載の本発明によれば、駆動装置を備えた空気調和機を構成したので、請求項１乃至請求項５記載の発明と同様な効果を得ることができるとともに、例えば、空気調和機の室内ユニット内の小型化を損なうことなく、駆動装置を搭載することができる。
【００２４】
請求項７記載の本発明によれば、移動体は紫外線照射装置からなり、フィルタまたは熱交換器に沿って移動することにしたので、請求項６記載の発明と同様な効果を得ることができる。
【００２５】
請求項８記載の本発明によれば、前記移動体は清掃手段とともに紫外線照射手段を搭載する清掃装置からなり、フィルタまたは熱交換器に沿って移動することにしたので、請求項６記載の発明と同様な効果を得ることができる。
【発明を実施するための最良の形態】
【００２６】
以下、本発明の実施の形態を、添付図面に基づいた実施例として詳細に説明する。図１は本発明による空気調和機を示す分解斜視図、図２は本発明による空気調和機の内部構造を模式的に示す断面図、図３は本発明による駆動装置を模式的に示す原理図、図４は本発明の空気調和機の図２のＡ−Ａ’断面を模式的に示す断面図である。
【００２７】
図５は本発明による駆動装置の伝達手段を示す一部拡大した斜視図、図６は本発明による駆動装置の移動体と伝達手段との接続部分を示す拡大斜視図、図７は本発明による駆動装置の電力供給部を示す図で、（ａ）は回転部材と電極を模式的に表した拡大斜視図、（ｂ）は回転部材を一部拡大した斜視図である。
【００２８】
そして、本発明の特徴は、移動体と、移動体に駆動力または／および電力を伝達する伝達手段と、伝達手段を介して移動体に電力を供給する電力供給部とを設けた駆動装置であり、以下の実施例１においては、この駆動装置を備え、フィルタ及び熱交換器に沿って移動する移動体を紫外線照射装置とした空気調和機の室内ユニットについて説明する。
【実施例１】
【００２９】
図１および図２に示すように、この空気調和機の室内ユニットにおける本体キャビネット１は、図示しない取付ネジを介して壁面に据え付けられる背板１１０と、ベース１１と、上面パネル１２と、前面パネル１３と、右側面パネル１４と、左側面パネル１５を備えており、これらはいずれも合成樹脂の成型品からなっている。本体キャビネット１内には送風ファンとしてのクロスフローファン２、熱交換器３およびドレンパン４などが格納されている。
【００３０】
ベース１１は、熱交換器３の両側から壁面側に張り出すように形成された図示しない左右一対の側板により背板１１０に取り付けられており、その側板間にクロスフローファン２および熱交換器３が支持されている。この実施形態において、熱交換器３は、ほぼΛ（ラムダ）型に組み合わせられた３つの熱交換ユニット３ａ〜３ｃを含み、クロスフローファン２の上方を覆うように配置されている。なお、熱交換ユニット３ａ〜３ｃには、光触媒が塗布または練り込まれている。
【００３１】
ベース１１には、背面側熱交換ユニット３ｃによって生成される結露水を受け止めるドレンパン１１１が形成されており、さらに背面下部には、各種配管や電線などを収納する収納部１１２が形成されている。
【００３２】
ベース１１の上端側には、上面パネル１２が取り付けられている。上面パネル１２は、その後端に突設されている図示しない係止爪を介してベース１１に着脱自在に取り付けられ、先端側が熱交換器３を覆うように前面パネル１３の先端までアーチ状に架け渡されている。
【００３３】
上面パネル１２には、全面にわたって空気吸入口１２１が設けられている。図示されていないが、空気吸入口１２１には、グリルが桟状に成型されている。なお、桟部分を取り外し可能としてもよく、その形状は任意に選択可能である。この例において、上面パネル１２の内面側には、後述する紫外線照射装置３００を移動させるための通路が設けられている。
【００３４】
ベース１１の下端側には、前面パネル１３が取り付けられる。前面パネル１３は、上端側が上面パネル１２の下端側に係止され、後端側が図示しない係止爪を介してベース１１に着脱可能に固定される。
【００３５】
ベース１１の右側板には、この空気調和機の制御部や電源ユニットなどが収納された図示しない電装品箱５が組み込まれており、この電装品箱５を覆い隠すように右側面パネル１４が取り付けられる。同様に、ベース１１の左側板には、左側面パネル１５が取り付けられる。
【００３６】
ベース１１の下面には、クロスフローファン２からの空気を吹き出す空気吹出口１１３が設けられるが、空気吹出口１１３には、吹出量および吹出方向を制御するディフューザ１１４、左右風向板１１５および上下風向板１１６が設けられている。
【００３７】
図１及び図２に示すように、上面パネル１２の空気吸入口１２１と熱交換器３との間には、紫外線照射装置３００を移動させるための駆動機構を組み込んだガイドフレーム２１０と、熱交換器３に向かう空気中に含まれる塵埃を除去する後述するフィルタ６を保持するフィルタ保持フレーム２２０とを含むメインフレーム２００が設けられている。
【００３８】
ガイドフレーム２１０には、その上端側と下端側との間に移動通路が設けられ、その通路に内蔵された伝達手段としての駆動ベルト２４０と、この駆動ベルト２４０に接続された電力供給部としての回転部材２５０が設けられ、この回転部材２５０が駆動モータユニット２３０に連結されているが、駆動ベルト２４０の上端と下端に位置する回転部材２５０には電力供給機能は有しておらず、駆動機構のみの機能を備えているものである。
【００３９】
図４に示すように、この例において、フィルタ６として、熱交換器３の右半分を覆う第１フィルタと、左半分を覆う第２フィルタの２枚のフィルタ６、６を備えている。各フィルタ６、６は所定の幅を持って枠状に形成されたフィルタフレームと、同フィルタフレームに囲まれ、網目が規則的に形成されたフィルタ部とを備えているものである。フィルタフレームおよびフィルタ部は、合成樹脂により一体成型することができるが、別体として成型しそれを組み合わせたものであってもよい。
【００４０】
フィルタ６は、例えばポリプロピレンなどのベース樹脂からなるが、このベース樹脂に例えば導電性樹脂などの帯電防止材を添加することが好ましい。すなわち、フィルタ６は、後述する清掃装置のナイロン製清掃ブラシとの摩擦によって帯電しやすいため、帯電による埃の吸着を防止するためである。これ以外に防カビ材や抗菌材をさらに添加し、例えばフィルタフレームおよびフィルタ部に、光触媒が塗布または練り込まれている。
【００４１】
図２及び図３を用いて、これまで説明してきた空気調和機に備えられる駆動装置についての原理を説明する。駆動モータユニット２３０がガイドフレーム２１０に取付けられており、電装品箱５の駆動制御手段により制御され、駆動モータユニット２３０に内蔵された後述する駆動モータ２３１を備え、ガイドフレーム２１０内に、この駆動モータ２３１に接続され、回転駆動力に変換する回転部材２５０と、回転部材２５０の回転駆動力が伝達されて移動する駆動ベルト２４０を備えている。更に、駆動ベルト２４０の一部に、紫外線照射装置３００が固定されている。
【００４２】
従って、駆動ベルト２４０に固定された紫外線照射装置３００は、矢印のように、回転部材２５０の回転によって駆動ベルト２４０が移動するため、駆動ベルト２４０の移動に伴って、紫外線照射装置３００もガイドフレーム２１０に沿って移動するようになっている。
【００４３】
また、駆動装置には紫外線照射装置３００への電力供給機能も備えており、駆動ベルト２４０と回転部材２５０の他に、回転部材２５０に接触する電極２６０を備えている。また、駆動ベルト２４０は導電性を備えていて、例えば、図３の斜線部分を金属部としており、回転部材２５０も導電性を備えていて、例えば、金属製となっている。これらの構成は、図１に示すように、駆動モータユニット２３０が取付けられていない、その他の左側のガイドフレーム２１０、中間のガイドフレーム２１０にも備えられていて、これらのガイドフレーム２１０の間に紫外線照射装置３００を装着するように、紫外線照射装置３００の両側が駆動ベルト２４０に固定されるようになっている。
【００４４】
この紫外線照射装置３００には、配線２８０により直列に接続された複数の紫外線ランプ２９０が内蔵されており、配線２８０の一端と他端が駆動ベルト２４０の金属部に接続されている。このようにして、紫外線照射装置３００には、電極２６０、回転部材２５０、駆動ベルト２４０および紫外線ランプ２９０の順番に、電装品箱５の電源ユニットより電力の供給を受けて、紫外線ランプ２９０が１２．５Ｖの電源電圧により点灯するようになっている。なお、紫外線ランプ２９０は例えば、ＬＥＤタイプを用いている。
【００４５】
図１、図２および図４を用いて、駆動装置を詳細に説明する。上面パネル１２（前面パネル１３）と熱交換器３の間に配置された駆動装置は、図面の右側から、駆動モータユニット２３０、右側のガイドフレーム２１０、フィルタ保持フレーム２２０、紫外線照射装置３００、中間のガイドフレーム２１０、フィルタ保持フレーム２２０、紫外線照射装置３００、左側のガイドフレーム２１０を備えている。
【００４６】
フィルタ保持フレーム２２０は、中間のガイドフレーム２１０の両側と、左側と右側のガイドフレーム２１０の一側に、それぞれ配置され、左側のガイドフレーム２１０と中間のガイドフレーム２１０との間と、中間のガイドフレーム２１０と右側のガイドフレーム２１０との間に、それぞれフィルタ６をフィルタ保持フレーム２２０で保持している。
【００４７】
紫外線照射装置３００もフィルタ６と同様に、左側のガイドフレーム２１０と中間のガイドフレーム２１０との間と、中間のガイドフレーム２１０と右側のガイドフレーム２１０との間に、それぞれ配置されている。
【００４８】
駆動モータユニット２３０は、駆動モータ２３１の駆動シャフト２３２に結合された駆動ギア２３３から、ギアシャフト２３５に結合された駆動ギア２３４を介して回転駆動力を右側のガイドフレーム２１０に対して伝達する構成となっている。右側のガイドフレーム２１０は、ギアシャフト２３５に結合された回転部材２５０に接触される電極２６０から電力供給を受け、回転部材２５０に掛け渡された駆動ベルト２４０に接続される接続端子２７０を介して紫外線照射装置３００に対して電力を供給するとともに、ギアシャフト２３５に結合された中間のガイドフレーム２１０および左側のガイドフレーム２１０の回転部材２５０に対して回転駆動力を伝達する構成となっている。
【００４９】
左側のガイドフレーム２１０は、右側のガイドフレーム２１０を反転したものであり、同様な構成となっているので説明を省略するが、中間のガイドフレーム２１０は、右側の紫外線照射装置３００と左側の紫外線照射装置３００の両方からの接続端子２７０を接続している駆動ベルト２４０と、この駆動ベルト２４０を掛け渡している回転部材２５０となっているため、横幅の広くなった駆動ベルト２４０と回転部材２５０を構成している。
【００５０】
右側の紫外線照射装置３００及び左側の紫外線照射装置３００は、接続端子２７０に結線される配線２８０で直列接続されている紫外線ランプ２９０に対して電力供給される構成となっている。
【００５１】
以上説明してきた駆動装置を備えた空気調和機によれば、フィルタ６または熱交換器３に沿って紫外線照射装置３００を往復移動させることができるので、フィルタ６、熱交換器３の全域に、紫外線ランプ２９０による紫外線を効率よく照射することができ、フィルタ６や熱交換器３に吸着した物質や、フィルタ６を通過した空気の除菌を行うことができる構成となる。
【００５２】
また、紫外線照射装置３００を往復移動させるための駆動機構に電力供給機能を持たせているので、紫外線照射装置３００への電力供給のための配線の移動空間を不要にするとともに、紫外線照射装置３００の移動に伴う配線の断線の恐れを無くすようにすることができる構成となる。更に、本発明の駆動装置は、配線の移動空間を不要にすることができるので、空気調和機の小型化を維持しながら駆動装置を搭載することができる。
【００５３】
また、紫外線照射装置３００を往復移動させるための駆動機構に駆動ベルト２４０を備えているので、フィルタ６、熱交換器３の曲面に沿って紫外線照射装置３００の移動軌跡が曲線的である場合でも容易に構成することができる。
【００５４】
本発明は、これまで説明してきた実施形態に限定されるものではなく、駆動装置は、被移動体に沿って移動する移動体と、移動体に駆動力または／および電力を伝達する伝達手段と、伝達手段を介して移動体に電力を供給する電力供給部とを設けたものであればよく、伝達手段は導電性を備えた駆動ベルトからなり、電力供給部は駆動ベルトを駆動するための導電性を備えた回転部材と、回転部材に電力を供給する電極とから構成したものであればよい。
【００５５】
また、移動体として紫外線照射装置３００に替えて、フィルタ６に付着した塵や埃を清掃ブラシなどで取り除くようにした清掃手段とともに紫外線照射手段を搭載してなる清掃装置としてもよく、清掃手段を電力供給部から電力の供給を受けて回転または移動するようなものとしてもよい。更に、移動体に、同移動体を駆動する駆動部を内蔵するようにしてもよく、例えば、駆動モータユニット２３０を備えた移動体として、この駆動モータユニット２３０から伝達手段としての駆動ベルト２４０に対して駆動力を与え、移動体が駆動されるように構成したものであってもよく、このときの伝達手段としては、電力を伝達するのみの構成であればよい。
【００５６】
これまで説明してきた駆動ベルト２４０および回転部材２５０と、駆動ベルト２４０と紫外線照射装置３００との接続部についての具体例を、図５乃至図７を用いて説明する。図５に示すように、駆動ベルト２４０は、図３のように紫外線照射装置３００の移動軌跡の上下位置に配設されている回転部材２５０の間に掛け渡されるもので、後述する回転部材２５０のギア歯が噛合される内向きのラック歯２４１と、このラック歯２４１の外側に接合される金属板２４２から構成されている。
【００５７】
ラック歯２４１は中央に貫通口部を備えて、金属板２４２にはこの貫通口部に対応する大きさの突出部を備えて、それぞれが嵌合している。ラック歯２４１と突出部に段差を持たせることにより、回転部材による回転駆動力が駆動ベルト２４０に滑らかに伝達するようにしている。このように、駆動ベルト２４０は、ラック歯２４１によって回転部材２５０から回転駆動力を受け、金属板２４２によって回転部材２５０から電力供給を受けるようになっており、紫外線照射装置３００への駆動源と電力供給源となっているものである。
【００５８】
図７（ａ）および図７（ｂ）に示すように、この駆動ベルト２４０が掛け渡された回転部材２５０は、ギアシャフト２３５に連結されている金属部２５２と、この金属部２５２の外側に接合されるギア歯２５１から構成されている。金属部２５２は中央に突出した電力供給用のギア歯を備え、ギア歯２５１にはこの電力供給用のギア歯の両側に接合されて、ギア歯２５１と電力供給用のギア歯に段差を持たせている。
【００５９】
このような構成からなる回転部材２５０は、ギア歯２５１によって駆動ベルト２４０に回転駆動力を伝達し、金属部２５２の電力供給用のギア歯によって駆動ベルト２４０に、金属部２５２に対して電力を供給する電極２６０を介して、電力を伝達するようになっている。なお、電極２６０は電装品箱５内に実装されたメイン基板の電力供給ラインへ配線により接続され、そこから電源電圧の供給を受けているものである。
【００６０】
図６に示すように、駆動ベルト２４０と紫外線照射装置３００との接続部については、駆動ベルト２４０の突出部の一部に接続部であるネジ穴２４３が設けられ、紫外線照射装置３００の両端位置に紫外線ランプ２９０に接続された接続端子２７０を収容する枠体が形成され、この枠体の両側にネジ穴を形成したものであり、双方のネジ穴を介して取付ネジ３１１によってネジ締めされることにより、駆動ベルト２４０と外線照射装置３００が固定され、駆動ベルト２４０の金属板２４２と紫外線照射装置３００の枠体に収容される接続端子２７０とが接続されている。
【００６１】
以上のような駆動ベルト２４０と紫外線照射装置３００との接続部を構成することにより、駆動ベルト２４０と紫外線照射装置３００は、それぞれを電気的に接続するための接続部を備え、取付ネジ３１１によって取付けられる構造としているので、紫外線照射装置３００を駆動ベルト２４０から取外し、容易に交換や点検を行うことができるものとなっている。
【００６２】
駆動ベルト２４０や回転部材２５０は、これまで説明してきた構成に限定されるものでなく、駆動ベルト２４０は、ラック歯２４１や金属板２４２の突出部に替えて、電力受部と駆動力受部とを兼用するように、駆動ベルト２４０の内側に金属性ワイヤなどを露出するように編み込んだものとし、回転部材２５０は、電力伝達部と駆動力伝達部とを兼用するようにしたボビンなどとしてもよい。また、駆動ベルト２４０の替わりに、チェーンを用いて、このチェーンをギア歯付き回転部材２５０によって回転させるようにして、駆動力と電力供給の機能を持たせる構成としてもよい。
【００６３】
本発明は、これまで説明してきた実施形態に限定されるものではなく、回転部材は駆動ベルトに電力を伝達する電力伝達部と、回転駆動力を伝達する駆動力伝達部とを備え、駆動ベルトは回転部材から電力供給を受ける電力受部と、回転駆動力を受ける駆動力受部とを備えたものであればよく、移動体と駆動ベルトは、それぞれを電気的に接続するための接続部を備えたものであればよい。
【００６４】
このような構成によれば、回転部材全体を電力供給部、駆動ベルト全体を電力受部として、回転駆動力を得るようにした場合、即ち、例えば、電力供給部と電力受部をそれぞれ金属製とし、互いに接触させて回転駆動力を得るようにした場合に比べて、磨耗し難い構成とすることができる。
【図面の簡単な説明】
【００６５】
【図１】本発明による空気調和機を示す分解斜視図である。
【図２】本発明による空気調和機の内部構造を模式的に示す断面図である。
【図３】本発明による駆動装置を模式的に示す原理図である。
【図４】本発明の空気調和機の図２のＡ−Ａ’断面を模式的に示す断面図である。
【図５】本発明による駆動装置の伝達手段を示す一部拡大した斜視図である。
【図６】本発明による駆動装置の移動体と伝達手段との接続部分を示す拡大斜視図である。
【図７】本発明による駆動装置の電力供給部を示す図で、（ａ）は回転部材と電極を模式的に表した拡大斜視図、（ｂ）は回転部材を一部拡大した斜視図である。
【図８】従来の駆動装置の概要を示す概要図で、（ａ）は正面図、（ｂ）は側面図である。
【符号の説明】
【００６６】
１  本体キャビネット
１１  ベース
１１０  背板
１１１  ドレンパン
１１２  収納部
１１３  空気吹出口
１１４  ディフューザ
１１５  左右風向板
１１６  上下風向板
１２  上面パネル
１２１  空気吸入口
１３  前面パネル
１４  右側面パネル
１５  左側面パネル
２  クロスフローファン
３  熱交換器
３ａ  熱交換ユニット
３ｂ  熱交換ユニット
３ｃ  熱交換ユニット
４  ドレンパン
５  電装品箱
６  フィルタ
２００  メインフレーム
２１０  ガイドフレーム
２２０  フィルタ保持フレーム
２３０  駆動モータユニット（駆動部）
２３１  駆動モータ
２３２  駆動シャフト
２３３  駆動ギア
２３４  駆動ギア
２３５  ギアシャフト
２４０  駆動ベルト（伝達手段）
２４１  ラック歯（駆動力受部）
２４２  金属板（電力受部）
２４３  接続部
２５０  回転部材（電力供給部の１つ）
２５１  ギア歯（駆動力伝達部）
２５２  金属部（電力伝達部）
２６０  電極（電力供給部の１つ）
２７０  接続端子
２８０  配線
２９０  紫外線ランプ
３００  紫外線照射装置（移動体）
３１０  接続部
３１１  取付ネジ
【図１】
2007162976.tif 000003
【図２】
2007162976.tif 000004
【図３】
2007162976.tif 000005
【図４】
2007162976.tif 000006
【図５】
2007162976.tif 000007
【図６】
2007162976.tif 000008
【図７】
2007162976.tif 000009
【図８】
2007162976.tif 000010